(57)【要約】【課題】クイズ・アンケートなどの質問と回答を電子メールの交信により行い、クイズ・アンケートなどの回答を情報通信機器とＷＥＢサーバとの接続状態や情報通信機器の電波状態に関わらず安定して行うことができるメールサービスサーバを提供する。【解決手段】メールサービスサーバにおいて、選択肢を有する情報に対して選択肢のそれぞれに対応するメールアドレスを発生させるアドレス発生部１０５と、選択肢とメールアドレスを合成し、ＨＴＭＬメールを生成する設問・アドレス合成部１０６と、ＨＴＭＬメールを携帯電話１１に送信する設問送信部１０７と、携帯電話１１から、選択肢に対応するメールアドレス宛に送信されたメールを受信する受信部１１１と、受信部１１１で受信されたメールに基づいて、選択肢を識別する返答判定部１１３と、返答判定部１１３で識別された選択肢に関連する情報メールを携帯電話１１に送信する判定結果送信部１１５とを備えた。【選択図】図１
2009116775.tif 000002
【特許請求の範囲】
【請求項１】
無線による通信を行う情報通信機器に対してメールサービスを提供するメールサービスサーバであって、
選択肢を有する情報に対して前記選択肢のそれぞれに対応するメールアドレスを発生させるアドレス発生部と、
前記選択肢と前記メールアドレスを合成し、前記情報通信機器上で前記選択肢が選択された際に前記選択肢に対応するメールアドレス宛に新規メールが送信される制御メールを生成する設問・アドレス合成部と、
前記制御メールを前記情報通信機器に送信する設問送信部と、
前記情報通信機器から、前記選択肢に対応するメールアドレス宛に送信されたメールを受信する受信部と、
前記受信部で受信されたメールに基づいて、前記選択肢を識別する返答判定部と、
前記返答判定部で識別された選択肢に関連する情報メールを前記情報通信機器に送信する判定結果送信部とを備えたことを特徴とするメールサービスサーバ。
【請求項２】
請求項１記載のメールサービスサーバにおいて、
前記制御メールは、ＨＴＭＬメールであることを特徴とするメールサービスサーバ。
【請求項３】
請求項１または２記載のメールサービスサーバにおいて、
前記選択肢を有する情報は、クイズの情報であり、前記選択肢に関連する情報メールは、前記クイズに対する正誤判定結果のメールであることを特徴とするメールサービスサーバ。
【請求項４】
請求項１または２記載のメールサービスサーバにおいて、
前記選択肢を有する情報は、ＹＥＳ／ＮＯチャートの情報であり、前記選択肢に関連する情報メールは、前記ＹＥＳ／ＮＯチャートによる診断結果のメールであることを特徴とするメールサービスサーバ。
【請求項５】
請求項１または２記載のメールサービスサーバにおいて、
前記選択肢を有する情報は、アンケートの情報であり、前記選択肢に関連する情報メールは、前記アンケートに対するメッセージのメールであることを特徴とするメールサービスサーバ。
【請求項６】
無線による通信を行う情報通信機器と前記情報通信機器に対してメールサービスを提供するメールサービスサーバとが前記無線を介して通信を行うメールサービスシステムであって、
前記メールサービスサーバは、選択肢を有する情報に対して前記選択肢のそれぞれに対応するメールアドレスを発生させ、前記選択肢と前記メールアドレスを合成し、前記情報通信機器上で前記選択肢が選択された際に前記選択肢に対応するメールアドレス宛に新規メールが送信される制御メールを生成し、前記制御メールを前記情報通信機器に送信し、
前記メールサービスサーバから制御メールが送信された前記情報通信機器は、前記制御メールを受信し、受信した前記制御メールを表示し、表示された前記制御メールへの前記情報通信機器の利用者からの操作に基づいて、前記選択肢に対応するメールアドレス宛に新規メールを送信し、
前記メールサービスサーバは、前記情報通信機器から送信された前記選択肢に対応するメールアドレス宛のメールを受信し、受信した前記メールに基づいて、前記選択肢を識別し、識別された選択肢に関連する情報メールを前記情報通信機器に送信することを特徴とするメールサービスシステム。
【請求項７】
請求項６記載のメールサービスシステムにおいて、
前記制御メールは、ＨＴＭＬメールであることを特徴とするメールサービスシステム。
【請求項８】
請求項６または７記載のメールサービスシステムにおいて、
前記選択肢を有する情報は、クイズの情報であり、前記選択肢に関連する情報メールは、前記クイズに対する正誤判定結果のメールであることを特徴とするメールサービスシステム。
【請求項９】
請求項６または７記載のメールサービスシステムにおいて、
前記選択肢を有する情報は、ＹＥＳ／ＮＯチャートの情報であり、前記選択肢に関連する情報メールは、前記ＹＥＳ／ＮＯチャートによる診断結果のメールであることを特徴とするメールサービスシステム。
【請求項１０】
請求項６または７記載のメールサービスシステムにおいて、
前記選択肢を有する情報は、アンケートの情報であり、前記選択肢に関連する情報メールは、前記アンケートに対するメッセージのメールであることを特徴とするメールサービスシステム。
【発明の詳細な説明】
【技術分野】
【０００１】
本発明は、携帯電話などの情報通信機器に対してメールの送受信を行うメールサービスサーバおよびメールサービスシステムに関し、特に、情報通信機器にメールを送信し、その返信メールを処理することにより、情報通信機器のユーザへのサービスを行う技術に関する。
【背景技術】
【０００２】
携帯電話などの情報通信機器に向けてクイズやアンケートなどを送信し、その情報通信機器からの返信を受けて、回答の正否や診断をすることは、従来から多く行われていた。
【０００３】
その方法は、ＷＥＢサーバに情報通信機器を接続し、常時電波を接続させたままでＷＥＢサーバと情報通信機器をつないでおき、質問の発信と回答の返信を行わせるものであった。
【発明の開示】
【発明が解決しようとする課題】
【０００４】
しかしながら、従来の方法では情報通信機器をＷＥＢサーバに接続させたままでクイズやアンケートを行う必要があり、情報通信機器が電波の弱い地域や電波が通じない地域に入るとＷＥＢサーバとの接続が切れ、クイズやアンケートの行為が中断してしまうという問題があった。
【０００５】
そして、一度ＷＥＢサーバとの接続が切れてしまったクイズやアンケートを再度行うためには、再度ＷＥＢサーバに接続しなおさなければならず煩わしいという問題があった。
【０００６】
また、クイズやアンケートでは、１回の質問の画面において返答者が考慮する時間が必要であり、その考慮する時間の問もＷＥＢでサーバと情報通信機器を接続させておかなければならず、電波利用では無駄な要素が大きいという問題があった。
【０００７】
そこで、本発明の目的は、クイズ・アンケートなどの質問と回答を電子メールの交信により行い、クイズ・アンケートなどの回答を情報通信機器とＷＥＢサーバとの接続状態や情報通信機器の電波状態に関わらず安定して行うことができるメールサービスサーバおよびメールサービスシステムを提供することにある。
【０００８】
本発明の前記ならびにその他の目的と新規な特徴は、本明細書の記述および添付図面から明らかになるであろう。
【課題を解決するための手段】
【０００９】
本願において開示される発明のうち、代表的なものの概要を簡単に説明すれば、次のとおりである。
【００１０】
すなわち、代表的なものの概要は、情報通信機器に対して、選択肢を有する情報を送信する際、選択肢のそれぞれに対応するメールアドレスを発生させるアドレス発生部と、選択肢とメールアドレスを合成し、情報通信機器上で選択肢が選択された際に選択肢に対応するメールアドレス宛に新規メールが送信される制御メールを生成する設問・アドレス合成部と、制御メールを情報通信機器に送信する設問送信部と、情報通信機器から受信したメールに基づいて、選択肢を識別する返答判定部と、返答判定部で識別された選択肢に関連する情報メールを情報通信機器に送信する判定結果送信部とを備えたものである。
【発明の効果】
【００１１】
本願において開示される発明のうち、代表的なものによって得られる効果を簡単に説明すれば以下のとおりである。
【００１２】
すなわち、代表的なものによって得られる効果は、携帯電話などの電波により電子メールを利用できる情報通信機器に向けて質問やクイズを送信し、それの回答を特定するメールアドレスのメールにより収集することにより、回答の正否を簡単に安定して判別することができ、また、正答や得点などを回答を発信した情報通信機器に直ちに返信することもできる。
【発明を実施するための最良の形態】
【００１３】
以下、本発明の実施の形態を図面に基づいて詳細に説明する。なお、実施の形態を説明するための全図において、同一の部材には原則として同一の符号を付し、その繰り返しの説明は省略する。
【００１４】
＜本発明の概要＞
まず、本発明の一実施の形態に係るメールサービスシステムについて説明する前に、本発明の概要について説明する。
【００１５】
携帯電話などのメールには、本文に記述されたＵＲＬをクリックしてＷＥＢサイトにリンクしたり、あるいは、本文に記述された電話番号をクリックして電話をかけるといった機能がサポートされている。
【００１６】
しかし、従来では、メールの本文に記述されている選択肢をクリックするだけで、何が選択されたのかを送信元であるサーバに通知するという機能はなく、また、利用者の選択をメールでサーバに通知するという目的を、プログラムが内容を解釈するための記号をメールの本文に挿入させる方法で実現しているサービスもあるが、これは利用者にけっして小さくはない負担を強いるものであった。
【００１７】
そこで、本発明では、ＷＥＢページでそうするように、クリックのみでサーバに選択を通知できるインターフェイスをメールで実現している。
【００１８】
選択肢ごとに一意なメールアドレスを割り当てておき、選択肢に対応するメールアドレス宛にメールを送信するだけで（空メール）、何が選択されたのかをメールサービスシステムに通知する。ユーザが何らかの入力を行う必要はない。
【００１９】
空メールを受信したメールサービスシステムは、一意のメールアドレスからクイズと選択肢を特定し、判定結果や解説が記述されたメールをユーザに返信する。
【００２０】
このように、メールサービスシステム側でクイズとその選択肢の数だけ一意のメールアドレスを大量に生成し、それを選択肢に使うという本発明は、メールアドレスの新しい利用法である。
【００２１】
また、出題−選択−判定のような、表示（出力）−操作（入力）−表示（出力）の一連の流れとその繰り返しは、ほとんどのアプリケーションソフトウェアに共通する一般的な利用パターンである。
【００２２】
したがって、一意のメールアドレスによってユーザの選択を取得し、選択に応じた何らかの結果をユーザにメールで提示していくという本発明は、クイズシステム以外にも、さまざまなアプリケーションのインターフェイスとして用いることができる。
【００２３】
言い換えれば、「携帯電話等によるメールの送受信をインターフェイスとするアプリケーション」すなわち、メールアプリケーションを実現している。
【００２４】
なお、以下の実施の形態として説明する応用例の多くは、ＷＥＢブラウザを利用する、いわゆるＷＥＢアプリケーションとしても実装できるが、次のように、携帯電話のメールのみで利用できること自体が、利用者の利便性の向上においても、また、社会的サービスの活性化という面においても、大きな意味を持っている。
【００２５】
（Ａ）携帯電話の利用者にとっては、ＷＥＢブラウザよりも、メールのほうがより気軽、手軽なメディア
携帯電話の高性能化、多機能化にともない、携帯電話でのＷＥＢサイト利用率も高くなってきてはいるものの、やはり、メールがサービスの中心であることには変わりない。また、若年層を中心に、通常の通話が減ってきて、全く通話をしない層が増えていることも報告されている。携帯メールこそが、コミュニケーションの中心手段となってきている。
【００２６】
以下の実施の形態として説明する各種処理は、今や誰もが持ち歩いている携帯電話で、そのうちでも利用率の高いメールの送受信のみで操作が完結している。時と場所を選ばず、また人も選ばないといえる。
【００２７】
つまり、社会生活のこれまでになく広範な範囲に、さまざまなタイプのアプリケーションの利用が浸透していくことが期待できる。情報リテラシーの格差解消に向けても大きな可能性を秘めている。
【００２８】
（Ｂ）ＷＥＢページよりも、メールのほうが保管と可搬性に優れている
ＷＥＢブラウザに表示された内容は、一定のデータ容量まで端末に保存されるが、ユーザが意図的に特定の内容を保存することは、かなり困難である。
【００２９】
履歴やブックマークというかたちで保存することもできるが、それはあくまでもＵＲＬ（オンライン上の情報リソースのアドレス）の記録であり、再表示のためには、再びネットワークに接続して内容をダウンロードしなおす必要がある。
【００３０】
しかし、メールであれば、表示内容のデータそのものが端末に保存され、また、保存したデータを所定のフォルダに格納するなどの整理も簡単にできる。
【００３１】
さらに、メールの転送により、保存したデータの可搬性にも優れているといえ、保存したデータを友人に送付するなど、情報の共有や周知も容易に行うことができる。
【００３２】
診断結果、翻訳結果、スケジュール、地図、加工後の画像など、アプリケーションの出力結果を保管しておきたい場合に、メールアプリケーションは威力を発揮する。
【００３３】
（Ｃ）メールアプリケーションは利用者の時間を拘束しない
ＷＥＢアプリケーションの利用においては、一連の操作が完了するまで、ネットワークに接続した状態を維持しなければならず、一時中断→再開は操作上困難を伴う。
【００３４】
また携帯電話は、メールや電話の着信など、いわば「割り込み」が多い機器であるが、メールアプリケーションであれば、利用の中断／再開を自由に行うことができる。
【００３５】
例えば、職業適性診断を行うアプリケーションにおいては、質問項目が数十問にわたる場合もある。場合によってはすべての質問に回答し診断結果を得るまでに何時間も拘束されることがあり、そこで、利用者の任意の中断／再開機能はぜひともサポートされるべき機能となる。
【００３６】
一般に、ＷＥＢアプリケーションで中断／再開をサポートするには、常にユーザを特定し、当該ユーザの利用状態を維持するための通信管理方法を工夫する必要があり、ユーザには、ユーザＩＤやパスワードを登録し、利用にあたってログイン手続きを行う、あるいは、携帯端末の端末ＩＤを登録するなどの手間が発生する。
【００３７】
しかし、メールアプリケーションでは、ユーザはメールアドレスによってはじめから特定された状態にあり、また、アプリケーションの出力結果も保管されているので、いつでも操作を中断し、そして好きなときに最後に受信したメールから操作を再開することができる。
【００３８】
中断／再開機能を利用するために、ＷＥＢアプリケーションのように、面倒なユーザ登録手続きやログイン手続きが必要になることはない。
【００３９】
以下、このような本発明のメールアプリケーションにより、実現するメールサービスシステムの詳細について説明する。
【００４０】
＜メールサービスシステムの構成＞
まず、図１および図２により、本発明の一実施の形態に係るメールサービスシステムの構成について説明する。図１は本発明の一実施の形態に係るメールサービスシステムの構成を示す構成図、図２は本発明の一実施の形態に係るメールサービスシステムのメールサービスサーバの構成を示す構成図である。
【００４１】
図１において、メールサービスシステムは、複数の情報通信機器である携帯電話１０、１１が、電話会社２０、２１を経由してネットワーク３０に接続され、ネットワーク３０には、メールサービスサーバ４０が接続されている。
【００４２】
また、ネットワーク３０には、出題者側ＰＣ５０を接続して、出題者が返答者の回答・解答を管理する回答・解答管理ＰＣとして使用することもできる。
【００４３】
図１においては、携帯電話１０が出題者側の携帯電話、携帯電話１１が返答者側の携帯電話であり、携帯電話１０からメールサービスサーバ４０にクイズやアンケートを登録して、メールサービスサーバ４０から携帯電話１１にクイズやアンケートのメールを送信し、携帯電話１１からのクイズの解答やアンケートの回答に関連づけられたメールアドレスへの返信メールをメールサービスサーバ４０が受信することにより、クイズやアンケートの処理を行い、その結果のメールを携帯電話１１送信するようになっている。
【００４４】
図２において、メールサービスサーバ４０は、ネットワーク３０に接続されるインターフェイス１００、出題者側の携帯電話１０との間の設問の入出力を行う設問入出力部１０１、設問を合成する設問合成部１０２、設問を記憶する設問記憶部１０３、設問を抽出する設問抽出部１０４、返答用のメールアドレスを発生させるアドレス発生部１０５、設問とアドレスを合成する設問・アドレス合成部１０６、設問のメールを返答者の携帯電話１１に送信する設問送信部１０７、設問・アドレス合成部１０６で合成された設問を一時的に保存するアドレス一時記憶部１０８、設問の送信指示を受け付ける送信指示待ち部１０９、送信指示待ち部１０９からの指示に基づいて送信制御を行う送信制御部１１０、返答者の携帯電話１１からのメールを受信する受信部１１１、受信部１１１で受信したメールのアドレスと一時記憶部１０８に記憶されたアドレスを照合するアドレス照合部１１２、設問記憶部１０３に記憶された設問と返答者の携帯電話１１からのメールの返答に基づいて返答を判定する返答判定部１１３、返答判定部１１３の判定に基づいて判定結果を作成する判定結果作成部１１４、判定結果を返答者の携帯電話１１に送信する判定結果送信部１１５から構成されている。
【００４５】
＜メールサービスシステムの動作の概要＞
まず、図１〜図３により、本発明の一実施の形態に係るメールサービスシステムの動作の概要について説明する。図３は本発明の一実施の形態に係るメールサービスシステムの動作の概要を説明するための説明図であり、図３（ａ）はメールサービスシステム４０によるメールの流れの概要を示し、図３（ｂ）はメールサービスシステム４０に蓄積した設問の一例、図３（ｃ）はメールサービスシステム４０から返答者側の携帯電話１１に送信した設問の一例、図３（ｄ）はメールサービスシステム４０内での照合と判定の概要を示す一例、図３（ｅ）は返答者側の携帯電話１１に送信されるメールの一例を示している。
【００４６】
まず、出題者側の携帯電話１０からの入力により、設問入出力部１０１、設問合成部１０２を経由して設問記憶部１０３に、例えば、図３（ｂ）に示すような設問が記憶される。設問が記憶されたメールサービスサーバ４０は、設問抽出部１０４、アドレス発生部１０５、設問・アドレス合成部１０６により、質問の画面に複数の選択枝の解答欄、回答欄を設定しておき、各解答欄、各回答欄にはそれぞれ独立したメールアドレスを割り振っておく。
【００４７】
そして、そのメールアドレスが割り振られた各解答欄、各回答欄がリンクとして制御される、例えば、図３（ｃ）に示すような制御メールであるＨＴＭＬなどのメールを返答者の携帯電話１１に送信する。
【００４８】
そして、返答者側の携帯電話１１で、返答者が複数の解答欄、回答欄の内で１つを選択し、その解答欄、回答欄をクリックすると、それが質問に対する返答となる。
【００４９】
返答者側の携帯電話１１で、返答者が１つの解答欄、回答欄をクリックすると、携帯電話１１のメール返信機能により、その解答欄、回答欄に割り振られた回答用のメールアドレスに空のメールを発信する。
【００５０】
メールサービスサーバ４０側は、受信部１１１でメールを受信し、アドレス照合部１１２、返答判定部１１３により、図３（ｄ）に示すように、携帯電話１１に固有のメールアドレスにより、発信者を特定し、かつ、送られた解答欄、回答欄に割り振られたメールアドレスでどの選択肢を発信者が選んだかを決定し、そのメールアドレスにより返答の正否を判別する。
【００５１】
メールサービスサーバ４０は、判定結果作成部１１４、判定結果送信部１１５により、返答者側の携帯電話１１に対して、例えば、図３（ｅ）に示すような、その返答が正しかったか、あるいは間違っていたかの判定結果を送信し、解答・回答の内容を指示する。
【００５２】
これら一連の動作を複数回行い、１回のクイズやアンケートとすることになる。１回の
クイズやアンケートが完了すると、得点や商品などの結果を返信する。
【００５３】
＜メールサービスシステムの動作の具体例＞
次に、図４〜図４５により、本発明の一実施の形態に係るメールサービスシステムの動作の具体例について説明する。図４〜図１１は本発明の一実施の形態に係るメールサービスシステムの動作を示すフローチャート、図１２〜図４５は本発明の一実施の形態に係るメールサービスシステムの動作中の携帯電話の表示例を示す図である。
【００５４】
まず、以下の説明では、メールサービスシステムの動作として、携帯電話によるメールの送受信をインターフェイスとする動作としての具体例を以下の４つの例を用いて説明する。
【００５５】
（１）最もシンプルな例
（２）表示ー操作ー表示を繰り返す例
（３）ユーザの操作に応じて表示内容が変化していく例
（４）メールアドレス以外の補助的な操作指示パラメーターを使用する例
上記（１）〜（４）のいずれも、一意の大量なメールアドレスによりユーザの操作(入力)が行われ、また、ユーザへの各種情報の提示(出力)はＨＴＭＬメールにより行われる。
【００５６】
また、上記（４）の「補助的な操作指示パラメーター」とは、件名欄や本文欄に入力された文字列や、メールに添付された画像などのバイナリデータを指す。
【００５７】
なお、メールサービスシステムの全体像を示すために、フローチャートと表示例には、ユーザのクイズやアンケートの利用に先立って、あらかじめ各クイズやアンケートなどに組み込まれているべき各種データを登録する動作のフォローチャートおよび表示例も説明している。
【００５８】
例えば、クイズの出題内容やアンケートの質問内容などの登録がこれにあたり、本実施の形態では、これらの各種データの登録操作は、メールの送受信ではなく、ＰＣや携帯電話のブラウザ画面で行う例を示している。なお、このクイズの出題内容やアンケートの質問内容などの登録をメールの送受信で行うようにしてもよい。
【００５９】
（１）最もシンプルな例
（１−１）一問一答型クイズ
まず、返答者側の携帯電話１１にＨＴＭＬメールでクイズが届く。
【００６０】
返答者は携帯電話１１に表示されたＨＴＭＬメール内で、正解と思われる選択肢をクリックすると、携帯電話１１のメールソフトが起動し、新規メール作成画面が表示される。
【００６１】
新規メール作成画面の宛先欄には、選択された選択肢に対応するメールアドレスが自動的に入力された状態になる。
【００６２】
そして、メールを送信すると、メールサービスサーバ４０がそのメールを受信し、宛先に指定されたメールアドレスからクイズの問題と選択肢を識別し、判定結果が記述されたＨＴＭＬメールを送信元のメールアドレスに返信する。
【００６３】
以下、この動作の詳細を図４〜図６、図１２〜図１９により説明する。図４〜図６は一問一答型クイズの動作を示すフローチャート、図１２〜図１９は一問一答型クイズの動作中の表示例である。
【００６４】
まず、メールサービスサーバ４０は、出題者側の携帯電話１０からのアクセスにより、出題者側の携帯電話１０に、図１２に示すような出題データの入力画面を表示させ、出題者からの出題データを入力する（Ｓ３００）。
【００６５】
この出題データは、出題内容と出題を制御するための各種設定値、一般には、出題文、出題画像、出題音声、選択肢、正解、回答などである。
【００６６】
そして、出題データの入力後、出題者側の携帯電話１０に図１３に示すような画面を表示させ、出題者の操作により、次の問題を入力するか否かを判断する（Ｓ３０１）。
【００６７】
Ｓ３０１で次の問題を入力すると判断されると、Ｓ３００に戻り、再度出題データを入力する。Ｓ３０１で次問題を入力しないと判断されると、出題者側の携帯電話１０に図１４に示すような画面を表示させ、入力済問題の一覧を表示する（Ｓ３０２）。
【００６８】
そして、図１４に示すような画面上の出題者の操作により、入力内容を確認するか否かを判断し（Ｓ３０３）、Ｓ３０３で例えば、問題文がクリックされるなどして、入力内容を確認すると判断すると、確認したい内容を選択し（Ｓ３０４）、図１５に示すように再度選択された問題を出題者側の携帯電話１０に表示させ（Ｓ３０５）、出題者からの操作により入力内容の修正・削除があれば、出題データを修正・削除し（Ｓ３０６、Ｓ３０７）、Ｓ３０２に戻る。
【００６９】
また、図１４に示すような画面上の出題者の操作により、問題の順番を入れ替えるか否かを判断し（Ｓ３０８）、Ｓ３０８で例えば、出題順変更がクリックされるなどして、問題の順番を入れ替えると判断されると、各問題の出題順位を変更して（Ｓ３０９）、Ｓ３０２に戻る。
【００７０】
そして、例えば、図１４に示すような画面上で、出題者が「はい」をクリックするなどして、入力済問題での作成終了となると、図１６に示すような画面を出題者側の携帯電話１０に表示させ、出題者からの自分の名前、メールアドレス、送信先のメールアドレス、送信先へのメッセージを入力する（Ｓ３１０）。
【００７１】
そして、問題×選択肢ごとにユニークなメールアドレスを作成し（Ｓ３１１）、出題内容を選択肢メールアドレス、出題者、送信先へのメッセージで構成されたクイズメールの本文を作成する（Ｓ３１２）。
【００７２】
このメール本文は、ＨＴＭＬで記述されたデコメール、デコレーションメール、アレンジメールなどのメールであり、選択肢をクリックすると、携帯電話のメールソフトが起動し、問題×選択肢ごとのメールアドレスを宛先とした、新規メール作成画面が表示されるようにＨＴＭＬの制御コードが記述されたものである。
【００７３】
そして、入力された送信先メールアドレス宛にクイズメールを送信する（Ｓ３１３）。これで、送信先メールアドレスで指定された返答者の携帯電話１１にＳ３１２で作成されたメールが送信される。
【００７４】
そして、返答者の携帯電話１１は、メールサービスサーバ４０から送信されたメールを受信し、図１７に示すような受信メールとして表示する（Ｓ４００）。
【００７５】
そして、返答者により、解答として正解と思われる選択肢がクリックされると（Ｓ４０１）、返答者の携帯電話１１は、メールソフトを起動し、図１８に示すように問題×選択肢に対応するメールアドレスを宛先に設定した状態で新規メール作成画面を表示する（Ｓ４０２）。図１８に示す例では、「ａｎｓｗｅｒ．ｘ−Ｒ２ＸＬ０ｇＥｄＪｌｅ＿Ｇｌ．１＠△△△．ｊｐ」が、選択肢がバチカンに対応するメールアドレスとなっている。
【００７６】
そして、返答者の携帯電話１１からメールが送信され（Ｓ４０３）、メールサービスサーバ４０で返答者の携帯電話１１から送信されたメールを受信する（Ｓ４０４）。
【００７７】
そして、メールサービスサーバ４０は、宛先に設定されたメールアドレスから、問題と選択肢を特定し、正誤判定を行い、正誤の結果に応じて、判定結果通知メールの本文を作成する（Ｓ４０５）。
【００７８】
そして、メールサービスサーバ４０は、出題者が作成した出題データで次の問題があるか否かを判断し（Ｓ４０６）、Ｓ４０６で次の問題があると判断されると、次の問題のクイズメールを依頼するためのユニークなメールアドレスを作成し、メール本文に追加する（Ｓ４０７）。
【００７９】
そして、返答者（送信元）のメールアドレスへ判定結果通知メールを送信する（Ｓ４０８）と共に、出題者のメールアドレスへ返答者の解答、正誤判定結果、返答者へのメールメールアドレスを送信し（Ｓ４０９）、出題者側の携帯電話１０は、メールサービスサーバ４０から送信されたメールを受信し、返答者の解答、正誤判定結果、返答者へのメールメールアドレスが記載されたメールが表示される（Ｓ４１０）。
【００８０】
また、返答者側の携帯電話１１は、メールサービスサーバ４０から送信されたメールを受信し、図１９に示すような判定結果通知メールを表示する（Ｓ５００）。
【００８１】
そして、図１９に示すような画面上の返答者の操作により、返答者が次の問題を解くか否かを判断する（Ｓ５０１）。Ｓ５０１で返答者が何も操作しないなどで、次の問題を解かないと判断されると終了となり、Ｓ５０１で返答者が何らかの操作をしていれば、次の問題を解くと判断し、例えば、図１９の例では、「次のクイズに挑戦！」がクリックされるなど、次の問題の送信を依頼するためのリンクがクリックされ（Ｓ５０２）、返答者の携帯電話１１は、メールソフトを起動し、次の問題の送信を依頼するメールアドレスを宛先に設定した状態で新規メール作成画面を表示する（Ｓ５０３）。
【００８２】
そして、返答者の携帯電話１１からメールが送信され（Ｓ５０４）、メールサービスサーバ４０で返答者の携帯電話１１から送信されたメールを受信する（Ｓ５０５）。
【００８３】
そして、メールサービスサーバ４０は、宛先に設定されたメールアドレスから、問題を特定し、次の問題を返答者のメールアドレス宛に送信し（Ｓ５０６）、Ｓ４００に戻る。
【００８４】
以上の動作により、一問一答型クイズを行うことができる。
【００８５】
（１−２）投票
返答者の携帯電話１１に、投票内容と候補が記述されたＨＴＭＬメールが届く。
【００８６】
このＨＴＭＬメール上で候補を選択してクリックすると、候補に対応するメールアドレスが宛先に入力された状態で新規メール作成画面が表示される。
【００８７】
メールを送信すると、メールサービスサーバ４０は宛先に指定されたメールアドレスから投票内容と候補を識別し、この投票を集計結果に加算する。
【００８８】
続いてメールサービスサーバ４０は、最新の集計結果が記述されたＨＴＭＬメールを送信元のメールアドレスに返信する。
【００８９】
集計結果が記述されたＨＴＭＬメールには、「最新の集計結果を確認する」というリンク文字列が含まれている。これをクリックすると、最新の集計結果を確認するためのメールアドレスが入力された状態で新規メール作成画面が表示される。
【００９０】
メールを送信すると、メールサービスサーバ４０は宛先に指定されたメールアドレスから投票内容を識別し、当該の投票の最新の集計結果が記述されたＨＴＭＬメールを送信元のメールアドレスに返信する。
【００９１】
この投票の動作は、一問一答型クイズと同様の動作で行われる。
【００９２】
（１−３）おみくじ
返答者の携帯電話１１に、おみくじの概要（何を占うのか、結果にはどんな種類があるのか、など）が記述されたＨＴＭＬメールが届く。
【００９３】
このＨＴＭＬメール上で、「おみくじを引く」という文字列をクリックすると、専用のメールアドレスが宛先に入力された状態で新規メール作成画面が表示される。
【００９４】
メールを送信すると、メールサービスサーバ４０はランダムにくじを選択し、くじの内容が記述されたＨＴＭＬメールを送信元のメールアドレスに返信する。
【００９５】
このおみくじの動作はメールサービスサーバ４０がランダムにくじを選択する動作以外は、一問一答型クイズと同様の動作で行われる。
【００９６】
（２）表示ー操作ー表示を繰り返す例
（２−１）ｎ問テスト型クイズ
基本的には、一問一答型クイズと同じ動作だが、判定と結果を確認するタイミングが異なるものである。
【００９７】
１問目の問題の選択肢をクリックしてメールを送信すると、２問目の問題のＨＴＭＬメールが届く。最後の問題の選択肢をクリックしてメールを送信すると、全問の判定結果が記述されたＨＴＭＬが届く。
【００９８】
以下、この動作の詳細を図７、図２０、図２１により説明する。図７はｎ問テスト型クイズの動作を示すフローチャート、図２０、図２１はｎ問テスト型クイズの動作中の表示例である。
【００９９】
まず、出題者による問題の入力は、図４に示す一問一答型クイズと同様である。
【０１００】
返答者の携帯電話１１は、メールサービスサーバ４０から送信されたメールを受信し、図２０に示すような受信メールとして表示する（Ｓ６００）。
【０１０１】
そして、返答者により、解答として正解と思われる選択肢がクリックされると（Ｓ６０１）、返答者の携帯電話１１は、メールソフトを起動し、図１８に示すように問題×選択肢に対応するメールアドレスを宛先に設定した状態で新規メール作成画面を表示する（Ｓ６０２）。
【０１０２】
そして、返答者の携帯電話１１からメールが送信され（Ｓ６０３）、メールサービスサーバ４０で返答者の携帯電話１１から送信されたメールを受信する（Ｓ６０４）。
【０１０３】
そして、メールサービスサーバ４０は、宛先に設定されたメールアドレスから、問題と選択肢を特定し、正誤判定を行い、正誤判定結果を記録する（Ｓ６０５）。
【０１０４】
そして、メールサービスサーバ４０は、出題者が作成した出題データで次の問題があるか否かを判断し（Ｓ６０６）、Ｓ６０６で次の問題があると判断されると、次の問題の問題内容と選択肢メールアドレスで構成されたクイズメールの本文を作成し（Ｓ６０７）、返答者のメールアドレス宛に次のメールを送信し（Ｓ６０８）、Ｓ６００に戻る。
【０１０５】
また、Ｓ６０６で次の問題がないと判断されると全問の正誤の結果に応じて、判定結果通知メールの本文を作成する（Ｓ６０９）。
【０１０６】
そして、返答者（送信元）のメールアドレスへ判定結果通知メールを送信し（Ｓ６１０）、返答者側の携帯電話１１は、判定結果通知メールを受信し、図２１に示すような判定結果通知メールを表示する（Ｓ６１１）。
【０１０７】
また、出題者のメールアドレスへ返答者の解答、正誤判定結果、返答者へのメールメールアドレスを送信し（Ｓ６１２）、出題者側の携帯電話１０は、メールサービスサーバ４０から送信されたメールを受信し、返答者の解答、正誤判定結果、返答者へのメールメールアドレスが記載されたメールが表示される（Ｓ６１３）。
【０１０８】
以上の動作により、ｎ問テスト型クイズを行うことができる。
【０１０９】
（２−２）ブックビューア
携帯電話から書籍に対応するメールアドレスにメールを送信すると、書籍の目次が記述されたＨＴＭＬメールが届く。
【０１１０】
目次から見出し項目を選択してクリックすると、見出し項目に対応するメールアドレスが宛先に入力された状態で新規メール作成画面が表示される。
【０１１１】
メールを送信すると、メールサービスサーバ４０は宛先に指定されたメールアドレスから書籍と見出し項目を識別し、該当するページの内容が記述されたＨＴＭＬメールを送信元に返信する。
【０１１２】
ページ内容が記述されたＨＴＭＬメールには、次のようなナビゲーションメニューが含まれる。
【０１１３】
−  次のページへ
−  前のページへ
−  目次へ戻る
上記のいずれかをクリックすると、それぞれに対応するメールアドレスが宛先に入力された状態で新規メール作成画面が表示される。
【０１１４】
メールを送信すると、メールアドレスに対応するページ内容のＨＴＭＬメールが、メールサービスサーバ４０から返信される。
【０１１５】
このブックビューアの動作は、ｎ問テスト型クイズと同様の動作で行われる。
【０１１６】
（３）ユーザの操作に応じて表示内容が変化していく例
（３−１）ＹＥＳ／ＮＯチャート
ＹＥＳ／ＮＯチャートとは次のようなものである。
【０１１７】
あるテーマについて、ユーザに質問を投げかけ、ＹＥＳかＮＯで答えてもらう。
【０１１８】
ユーザの回答次第で、次の質問が決まる。
【０１１９】
こうして回答を重ねることで、最終的に、用意されている複数の診断コメントやアドバイスのうちの１つに導く。
【０１２０】
質問−回答を繰り返すという点では、クイズや後述する単一解答（ＳＡ）のアンケートと同じだが、質問の提示順序がユーザの回答に状況に応じて変化するところが異なるものである。
【０１２１】
以下、この動作の詳細を図８、図９、図２２〜図３４により説明する。図８、図９はＹＥＳ／ＮＯチャートの動作を示すフローチャート、図２２〜図３４はＹＥＳ／ＮＯチャートの動作中の表示例である。
【０１２２】
まず、メールサービスサーバ４０は、出題者側の携帯電話１０からのアクセスにより、出題者側の携帯電話１０に、図２２に示すような診断のタイトルの入力画面を表示させ、出題者からの診断のタイトルを入力する（Ｓ７００）。
【０１２３】
そして、出題者側の携帯電話１０に、図２３に示すような診断結果の入力画面を表示させ、出題者からの診断結果データを入力し（Ｓ７０１）、出題者側の携帯電話１０に、図２４に示すような画面を表示させ、出題者の画面上の操作により、他の診断結果データを入力するか否かを判断する（Ｓ７０２）。
【０１２４】
Ｓ７０２で、出題者が「はい」をクリックするなどして、他の診断結果データを入力すると判断されると、Ｓ７０１に戻り、Ｓ７０２で、出題者が「いいえ」をクリックするなどして、他の診断結果データを入力しないと判断されると、出題者側の携帯電話１０に、図２５に示すような質問作成画面を表示させ、出題者からの質問データを入力する（Ｓ７０３）。
【０１２５】
質問データは、質問内容と、ＹＥＳ、ＮＯそれぞれの場合の次の質問または診断結果の指定、最初の質問の場合はその旨の指定である。
【０１２６】
そして、メールサービスサーバ４０は、出題者側の携帯電話１０に、図２６に示すような画面を表示させ、出題者の画面上の操作により、他の質問データを入力するか否かを判断する（Ｓ７０４）。
【０１２７】
Ｓ７０４で、出題者が「はい」をクリックするなどして、他の質問データを入力すると判断されると、Ｓ７０３に戻り、Ｓ７０４で、出題者が「いいえ」をクリックするなどして、他の質問データを入力しないと判断されると、出題者側の携帯電話１０に、図２７に示すような、入力済タイトル、診断結果データ、質問データの一覧を表示させる（Ｓ７０５）。
【０１２８】
そして、図２７に示すような画面上の出題者の操作により、入力内容を確認するか否かを判断し（Ｓ７０６）、Ｓ７０６で例えば、質問データなどがクリックされるなどして、入力内容を確認すると判断すると、確認したい内容を選択し（Ｓ７０７）、図２８〜図３０に示すように選択された項目を出題者側の携帯電話１０に表示させ（Ｓ７０８）、出題者からの操作により入力内容の修正・削除があれば、出題データを修正・削除し（Ｓ７０９、Ｓ７１０）、Ｓ７０５に戻る。
【０１２９】
そして、例えば、図２７に示すような画面上で、出題者が「はい」をクリックするなどして、作成終了となると、図３１に示すような画面を出題者側の携帯電話１０に表示させ、出題者からの自分の名前、メールアドレス、送信先のメールアドレス、送信先へのメッセージを入力する（Ｓ７１１）。
【０１３０】
そして、質問×ＹＥＳ、ＮＯごとにユニークなメールアドレスを作成し（Ｓ７１２）、タイトル、メッセージ、最初の質問内容とＹＥＳ、ＮＯメールメールアドレスで構成されたクイズメールの本文を作成し（Ｓ７１３）、入力された送信先メールアドレス宛にクイズメールを送信する（Ｓ７１４）。これで、送信先メールアドレスで指定された返答者の携帯電話１１にＳ７１３で作成されたメールが送信される。
【０１３１】
そして、返答者の携帯電話１１は、メールサービスサーバ４０から送信されたメールを受信し、図３２に示すような受信メールとして表示する（Ｓ８００）。
【０１３２】
そして、返答者により、質問の答えとなるＹＥＳ、ＮＯがクリックされると（Ｓ８０１）、返答者の携帯電話１１は、メールソフトを起動し、図３３に示すように質問×ＹＥＳ、ＮＯに対応するメールアドレスを宛先に設定した状態で新規メール作成画面を表示する（Ｓ８０２）。
【０１３３】
そして、返答者の携帯電話１１からメールが送信され（Ｓ８０３）、メールサービスサーバ４０で返答者の携帯電話１１から送信されたメールを受信する（Ｓ８０４）。
【０１３４】
そして、メールサービスサーバ４０は、宛先に設定されたメールアドレスから、質問とＹＥＳ、ＮＯを特定し、診断結果データ、質問データを参照して、次に提示すべき診断結果データまたは質問データを取得する（Ｓ８０５）。
【０１３５】
そして、メールサービスサーバ４０は、Ｓ８０５での取得結果から、診断結果が出たか否かを判断する（Ｓ８０６）。
【０１３６】
Ｓ８０６で診断結果が出ていないと判断されると、次の質問の質問内容とＹＥＳ、ＮＯメールアドレスで構成された診断メールの本文を作成し（Ｓ８０７）、返答者のメールアドレス宛に次の質問の診断メールを送信し（Ｓ８０８）、Ｓ８００に戻る。
【０１３７】
Ｓ８０６で診断結果が出たと判断されると、診断結果通知メールを作成し（Ｓ８０９）、返答者（送信元）のメールアドレスへ診断結果通知メールを送信し（Ｓ８１０）、返答者側の携帯電話１１は、診断結果通知メールを受信し、図３４に示すような診断結果通知メールを表示する（Ｓ８１１）。
【０１３８】
また、出題者のメールアドレスへ返答者の各質問への回答、診断結果、返答者へのメールメールアドレスを送信し（Ｓ８１２）、出題者側の携帯電話１０は、メールサービスサーバ４０から送信されたメールを受信し、返答者の各質問への回答、診断結果、返答者へのメールメールアドレスが記載されたメールが表示される（Ｓ８１３）。
【０１３９】
以上の動作により、ＹＥＳ／ＮＯチャートを行うことができる。
【０１４０】
（３−２）ガイド、カタログ
飲食店情報を集めたグルメガイドや、商品カタログなどでは、階層化されたカテゴリに情報が分類されている。利用者は、興味や感心にしたがってカテゴリの階層を辿ることで、求めている情報を探し出す。
【０１４１】
所定のメールアドレスにメールを送信すると、階層化されたカテゴリの一覧が記述されたＨＴＭＬメールが届く。
【０１４２】
カテゴリを選択してクリックすると、カテゴリに対応するメールアドレスが宛先に入力された状態で新規メール作成画面が表示される。
【０１４３】
メールを送信すると、当該のカテゴリに分類されている情報のタイトルとサマリーの一覧が記述されたＨＴＭＬメールが届く。
【０１４４】
このうちから詳細情報を確認したいタイトルをクリックすると、タイトルに対応するメールアドレスが宛先に入力された状態で新規メール作成画面が表示される。
【０１４５】
メールを送信すると、当該のタイトルに対応する詳細情報が記述されたＨＴＭＬメールが届く。
【０１４６】
このガイド、カタログの動作は、ＹＥＳ／ＮＯチャートと同様の動作で行われる。
【０１４７】
（３−３）ロールプレイングゲーム
物語を読み進めていくと、ところどころで、主人公が次にとるべき行動についての選択肢が提示される。
【０１４８】
読者は主人公になったつもりで、選択肢を選択する。選択に応じて、その後に続くストーリーが変化する。
【０１４９】
所定のメールアドレスにメールを送信すると、物語の冒頭シーンが記述されたＨＴＭＬメールが送られてくる。「続きを読む」をクリックすると、宛先に次のシーンに対応するメールアドレスが入力された状態で新規メール作成画面が表示される。
【０１５０】
メールを送信すると、次のシーンが記述されたＨＴＭＬメールが送られてくる。このようにして、いくつかのシーンを読み進めていく。あるシーンでは、最後に次に主人公がとるべき行動に関する選択肢が提示されることがある。
【０１５１】
選択肢を選択してクリックし、選択肢に対応するメールアドレス宛にメールを送信すると、メールサービスサーバ４０は、メールアドレスから選ばれた選択肢を識別し、所定のロジックにしたがって、次のシーンを決定する。そして、次のシーンが記述されたＨＴＭＬメールを送信元に返信する。
【０１５２】
このロールプレイングゲームの動作は、ＹＥＳ／ＮＯチャートと同様の動作で行われる。
【０１５３】
（３−４）育成ゲーム
えさを与えたり、一緒に遊んだりするなど、さまざまに働きかけて、動物などのキャラクターを育成していくゲームである。
【０１５４】
所定のメールアドレスにメールを送信すると、キャラクターのイメージと、キャラクターへの働きかけに関するメニューが記述されたＨＴＭＬメールが送られてくる。
【０１５５】
メニューを選択してクリックすると、メニューに対応するメールアドレスが宛先に入力された状態で新規メール作成画面が表示される。
【０１５６】
メールを送信すると、メールサービスサーバ４０は宛先に指定されたメールアドレスからキャラクターとメニューを識別し、また送信元アドレスから利用者を識別する。
【０１５７】
メールサービスサーバ４０は当該のユーザが育成しているキャラクターの現在の状態に対して、利用者が指定したメニューを適用した場合のキャラクターの状態の変化を所定のロジックにしたがって導出し、これを記録する。
【０１５８】
そして、新しい状態のキャラクターのイメージと、キャラクターへの次の働きかけに関するメニューが記述されたＨＴＭＬメールを送信元のメールアドレスに返信する。
【０１５９】
時間経過とともに自動的にキャラクターの状態が変化するロジックにより、利用者がメニューを選択した場合以外にも、新しい状態のＨＴＭＬメールが届くこともある。
【０１６０】
この育成ゲームの動作は、メールサービスサーバ４０がキャラクターの状態の変化を所定のロジックにしたがって導出する以外は、ＹＥＳ／ＮＯチャートと同様の動作で行われる。
【０１６１】
（３−５）ＷＥＢサイトビューア
所定のメールアドレスに、件名欄に閲覧したＷＥＢページのＵＲＬを入力してメールを送信すると、指定したＷＥＢページの内容が、簡易なデザイン／レイアウトのＨＴＭＬメールに変換されて届く。
【０１６２】
ＨＴＭＬメールに変換されたＷＥＢページの記述中、他のページへリンクする部分をクリックすると、リンク先に対応するメールアドレスが入力された状態で新規メール作成画面が表示される。
【０１６３】
メールを送信すると、リンク先のページがＨＴＭＬメールに変換されて届く。
【０１６４】
このＷＥＢサイトビューアの動作は、ＹＥＳ／ＮＯチャートと同様の動作で行われる。
【０１６５】
（４）メールアドレス以外の補助的な操作指示パラメーターを使用する例
（４−１）アンケート
アンケートの回答方法は、次の３種類に大別される。
【０１６６】
１．ＳＡ（Ｓｉｎｇｌｅ  Ａｎｓｗｅｒ）    …単一回答
２．ＭＡ（Ｍｕｌｔｉｐｌｅ  Ａｎｓｗｅｒ）…複数回答
３．ＦＡ（Ｆｒｅｅ  Ａｎｓｗｅｒ）        …自由回答
単一回答（ＳＡ）の場合は、すでに上述したクイズと同様に、各選択肢に対応するメールアドレスへメールを送信することが回答の方法となる。この場合、個々のメールアドレスによって、質問とその選択肢を特定する。
【０１６７】
複数回答（ＭＡ）、自由回答（ＦＡ）の場合は、個々のメールアドレスによっては、質問のみを特定することになる。
【０１６８】
そして、回答内容は、質問に対応するメールアドレスが宛先入力された新規メール作成画面において、件名欄や本文欄に入力される。
【０１６９】
メールサービスサーバ４０は、メールアドレスによって質問を特定し、件名欄や本文欄の内容を取得して、アンケートの回答結果として記録する。
【０１７０】
以下、この動作の詳細を図１０および図１１、図３５〜図４５により説明する。図１０および図１１はアンケートの動作を示すフローチャート、図３５〜図４５はアンケートの動作中の表示例である。
【０１７１】
まず、メールサービスサーバ４０は、出題者側の携帯電話１０からのアクセスにより、出題者側の携帯電話１０に、図３５に示すような質問データの入力画面を表示させ、出題者からの質問データを入力する（Ｓ９００）。
【０１７２】
この質問データは、質問内容と質問提示の方法や回答方法を制御するための各種設定値で、一般には、質問文、回答方法（ＳＡ、ＭＡ、ＦＡ）、選択肢（ＳＡ、ＭＡのとき）、型式やサイズに関する制限（ＦＡのとき）、当該質問の提示条件（前出の特定質問に特定回答した場合のみ提示など）などである。
【０１７３】
そして、質問出題データの入力後、出題者側の携帯電話１０に図３６に示すような画面を表示させ、出題者の操作により、次の質問を入力するか否かを判断する（Ｓ９０１）。
【０１７４】
Ｓ９０１で次の質問を入力すると判断されると、Ｓ９００に戻り、再度質問データを入力する。Ｓ９０１で次の質問を入力しないと判断されると、出題者側の携帯電話１０に図３７に示すような画面を表示させ、入力済質問の一覧を表示する（Ｓ９０２）。
【０１７５】
そして、図３７に示すような画面上の出題者の操作により、入力内容を確認するか否かを判断し（Ｓ９０３）、Ｓ９０３で例えば、質問文がクリックされるなどして、入力内容を確認すると判断すると、確認したい内容を選択し（Ｓ９０４）、図３８に示すように再度選択された質問を出題者側の携帯電話１０に表示させ（Ｓ９０５）、出題者からの操作により入力内容の修正・削除があれば、質問データを修正・削除し（Ｓ９０６、Ｓ９０７）、Ｓ９０２に戻る。
【０１７６】
また、図３７に示すような画面上の出題者の操作により、質問の順番を入れ替えるか否かを判断し（Ｓ９０８）、Ｓ９０８で例えば、「質問順変更」がクリックされるなどして、質問の順番を入れ替えると判断すると、移動する質問と移動先を選択して（Ｓ９０９）、Ｓ９０２に戻る。
【０１７７】
そして、例えば、図３７に示すような画面上で、出題者が「はい」をクリックされるなどして、入力済質問での作成終了となると、図３９に示すような画面を出題者側の携帯電話１０に表示させ、出題者からの自分メールアドレス、送信先のメールアドレス、送信先へのメッセージを入力する（Ｓ９１０）。
【０１７８】
そして、メールサービスサーバ４０は、入力済質問が単一回答（ＳＡ）か否かを判断し（Ｓ９１１）、Ｓ９１１で単一回答（ＳＡ）であると判断されると、質問×選択肢ごとにユニークなメールアドレスを作成し（Ｓ９１２）、質問者名、メッセージ、質問内容、選択肢メールアドレスで構成されたアンケートメールの本文を作成する（Ｓ９１３）。
【０１７９】
また、Ｓ９１１で単一回答（ＳＡ）でないと判断されると、質問に対応する回答メールアドレスを作成し（Ｓ９１４）、質問者名、メッセージ、質問内容、回答メールアドレスで構成されたアンケートメールの本文を作成する（Ｓ９１５）。
【０１８０】
複数回答（ＭＡ）、自由回答（ＦＡ）の場合の回答方法は、メールタイトルまたは本文に回答を記入して、回答メールアドレス宛に送信することになる。
【０１８１】
そして、入力された送信先メールアドレス宛に、Ｓ９１３またはＳ９１５で作成されたアンケートメールを送信する（Ｓ９１６）。
【０１８２】
そして、返答者の携帯電話１１は、メールサービスサーバ４０から送信されたメールを受信し、図４０〜図４２に示すような受信メールとして表示する（Ｓ１０００）。
【０１８３】
そして、返答者の携帯電話１１は、アンケートメールが単一回答（ＳＡ）か否かを判断し（Ｓ１００１）、Ｓ１００１で、アンケートメールが図４０に示すような単一回答（ＳＡ）のアンケートで、単一回答（ＳＡ）であると判断され、返答者により、質問にあてはまる選択肢がクリックされると（Ｓ１００２）、返答者の携帯電話１１は、メールソフトを起動し、図１８に示すように質問×選択肢に対応するメールアドレスを宛先に設定した状態で新規メール作成画面を表示する（Ｓ１００３）。
【０１８４】
また、Ｓ１００１で、アンケートメールが図４１および図４２に示すような複数回答（ＭＡ）、自由回答（ＦＡ）のアンケートで、単一回答（ＳＡ）でないと判断され、「質問に答える」のリンクがクリックされると（Ｓ１００４）、返答者の携帯電話１１は、メールソフトを起動し、図１８に示すように、回答メールアドレスを宛先に設定した状態で新規メール作成画面を表示する（Ｓ１００５）。
【０１８５】
そして、返答者の携帯電話１１は、アンケートメールが複数回答（ＭＡ）か否かを判断し（Ｓ１００６）、Ｓ１００６で複数回答（ＭＡ）であると判断され、図４３に示すように返答者からタイトル（または本文）に選択肢に対応する符号が複数入力される（Ｓ１００７）。
【０１８６】
また、Ｓ１００６で複数回答（ＭＡ）でないと判断され、図４４に示すように返答者から本文に回答が入力される（Ｓ１００８）。
【０１８７】
そして、返答者の携帯電話１１からメールが送信され（Ｓ１００９）、メールサービスサーバ４０で返答者の携帯電話１１から送信されたメールを受信する（Ｓ１０１０）。
【０１８８】
そして、メールサービスサーバ４０は、宛先に設定されたメールアドレスから、質問と、単一回答（ＳＡ）の場合は選択肢を特定し、返答者のメールアドレスと関連づけて、回答を記録する（Ｓ１０１１）。
【０１８９】
そして、メールサービスサーバ４０は、出題者が作成した質問データで次の質問があるか否かを判断し（Ｓ１０１２）、Ｓ１０１２で次の質問があると判断されると、次の質問が単一回答（ＳＡ）であるか否かを判断し（Ｓ１０１３）、Ｓ１０１３で次の質問が単一回答（ＳＡ）であると判断されると、質問×選択肢ごとにユニークなメールアドレスを作成し（Ｓ１０１４）、質問内容と選択肢メールアドレスで構成されたアンケートメールの本文を作成する（Ｓ１０１５）。
【０１９０】
また、Ｓ１０１３で次の質問が単一回答（ＳＡ）でないと判断されると、質問に対応する回答メールアドレスを作成し（Ｓ１０１６）、質問内容と回答メールアドレスで構成されたアンケートメールの本文を作成する（Ｓ１０１７）。
【０１９１】
そして、メールサービスサーバ４０は、返答者のメールアドレス宛にアンケートメールを送信し（Ｓ１０１８）、Ｓ１０００に戻る。
【０１９２】
また、メールサービスサーバ４０は、Ｓ１０１２で次の質問がないと判断されると、アンケート終了に際して返答者に伝えるべきメッセージが記載されたアンケート終了メールの本文を作成し（Ｓ１０１９）、返答者のメールアドレスへアンケート終了メールを送信する（Ｓ１０２０）。
【０１９３】
返答者の携帯電話１１は、メールサービスサーバ４０から送信されたメールを受信し、アンケート終了メールを図４５に示すような受信メールとして表示する（Ｓ１０２１）。
【０１９４】
以上の動作により、アンケートを行うことができる。
【０１９５】
（４−２）診断
職業適性診断など、複数の質問に配点し、質問をいくつかのセグメントに分類し、回答結果から各セグメントごとの得点を算出し、これをもとに傾向をみるタイプの診断するものである。
【０１９６】
この動作は、アンケートの単一回答（ＳＡ）、複数回答（ＭＡ）、自由回答（ＦＡ）を組み合わせて、アンケートと同様の動作で実現することができ、アンケートの動作と異なるのは、メールサービスサーバ４０に回答から診断結果を導き出すロジックが組み込まれており、最後の質問に回答した後に、診断結果が記述されたＨＴＭＬメールが返信されてくる点である。
【０１９７】
（４−３）辞書
新規メール作成画面を表示し、宛先に所定のメールアドレスを入力し、件名欄に調べたい語句を入力してメールを送信すると、語句の意味が記述されたＨＴＭＬメールが返信される。
【０１９８】
語句の意味の説明中に、辞書に登録されている他の語句が出現する場合は、その語句をクリックできる。
【０１９９】
説明に含まれる語句をクリックすると、宛先に所定のメールアドレス、件名欄に当該の語句が入力された状態で新規メール作成画面が表示され、メールを送信すると、クリックした語句の意味が記述されたＨＴＭＬメールが返信されてくる。このようにして、関連語句を次々に調べていくことができる。
【０２００】
この辞書の動作は、アンケートと同様の動作で行われる。
【０２０１】
（４−４）自動翻訳
所定のメールアドレスにメールを送信すると、自動翻訳のメニューが記述されたＨＴＭＬメールが送られてくる。メニューは例えば次のようなものである。
【０２０２】
−  英−＞日
−  日−＞英
メニューを選択してクリックすると、メニューに対応するメールアドレスが宛先に入力された状態で、新規メール作成画面が表示される。続いて、本文に翻訳したい原文テキストが入力される。
【０２０３】
メールを送信すると、メールサービスサーバ４０は、宛先に指定されたメールアドレスから翻訳方法を識別し、本文データを取得して翻訳方法に対応する翻訳プログラムに入力する。そして、翻訳プログラムの出力結果が記述されたＨＴＭＬメールを送信元のメールアドレスに返信する。
【０２０４】
この自動翻訳の動作は、アンケートと同様の動作で行われる。
【０２０５】
（４−５）カレンダー
所定のメールアドレスにメールを送信すると、当日から１週間の日付の一覧と、各日付に登録された予定の一覧が記述されたＨＴＭＬメールが送られてくる。
【０２０６】
また、下記のメニューも記述されている。
【０２０７】
−  新しい予定を追加
−  次の１週間を確認
−  前の１週間を確認
−  期間を指定して予定を確認
新しい予定は、件名欄に次の形式で日時と予定が、本文欄に詳細に入力され、所定のメールアドレス宛に下記の形式のメールを送信することで登録する。
【０２０８】
Ｓｕｂｊｅｃｔ：  ２００７０９０１  １３００  打ち合わせ
Ｔｅｘｔ：  ○氏、△氏来社。資料は前日に送付すること
「次の１週間を確認」、「前の１週間を確認」がクリックされる、それぞれのメニューに対応するメールアドレスが宛先に入力された状態で新規メール作成画面が表示される。これを送信すると、当該の期間の日付と予定の一覧が記述されたＨＴＭＬメールが送られてくる。
【０２０９】
期間を指定して予定を確認する場合は、件名欄に次の形式で期間を指定するデータが入力され、所定のメールアドレス宛にメールを送信する。
【０２１０】
Ｓｕｂｊｅｃｔ：  ２００７０９０１  ２００７１００１
このカレンダーの動作は、アンケートと同様の動作で行われる。
【０２１１】
（４−６）ＧＰＳマップ
最近では、ＧＰＳから位置情報を取得し、メールの本文に位置情報データを簡単に挿入できる携帯電話がある。
【０２１２】
所定のメールアドレスに、位置情報を記述した本文のメールアドレスを送信すると、現在位置の周辺地図が記述されたＨＴＭＬメールが送られてくる。
【０２１３】
地図とあわせて、拡大、縮小、表示範囲の変更（北、北東、東、南東、南、南西、西、北西を指定）メニューも用意されている。それぞれのメニューに対応するメールアドレスへメールを送信すると、指示にしたがった倍率、範囲の地図が記載されたＨＴＭＬメールが送られてくる。
【０２１４】
このＧＰＳマップの動作は、アンケートと同様の動作で行われる。
【０２１５】
（４−７）チャット
特定のチャットルームに対応するメールアドレス宛にメールを送信すると、チャットルームに入室した状態になり、これまでの発言と発言時間が記述されたＨＴＭＬメールが送られてくる。発言は時系列にリストされている。
【０２１６】
発言する場合は、件名欄に発言内容を入力して、同じメールアドレス宛にメールを送信する。自分の発言も加えられた状態で、発言を一覧するＨＴＭＬメールが送られてくる。
【０２１７】
このとき、チャットルームに入室しているメンバーにも同じメールが送られてくる。チャットルームから退室したい場合は、退室に対応するメールアドレス宛にメールを送信する。
【０２１８】
新しいチャットルームを開設するには、開設用のメールアドレスにメールを送信する。すると、新しく作成されたチャットルームに発言するためのメールアドレスが送られてくる。このメールアドレスを友人等に送付してチャットルームに招待する。
【０２１９】
同じ時間帯にメールをやりとりできることがわかっている複数の相手とであれば、通常のメールでメッセージをやりとりするよりも、効率よくコミュニケーションをとることができる。
【０２２０】
このチャットの動作は、アンケートと同様の動作で行われる。
【０２２１】
（４−８）画像加工
所定のメールアドレスにメールを送信すると、次のようなメニューが記述されたＨＴＭＬメールが送られてくる。
【０２２２】
−  画像ファイルにコメント文字を重ねる
−  複数の画像ファイルをまとめてスライドショーを作る
メニューをクリックすると、メニューに対応したメールアドレスが宛先に入力された状態で新規メール作成画面が表示される。
【０２２３】
加工したい画像ファイルを添付して送信すると、メールサービスサーバ４０は宛先に指定されたメールアドレスから識別した加工方法を指定し、添付されている画像ファイルを画像加工ソフトに入力する。そして、画像加工ソフトの出力結果を添付したメールを、送信元のメールアドレスに返信する。
【０２２４】
この画像加工の動作は、アンケートと同様の動作で行われる。
【０２２５】
（４−９）ファイル共有
ファイルを共有するグループのメンバーは、グループ専用のメールアドレスを共有する。
【０２２６】
グループ専用のメールアドレス宛にメールを送信すると、現在登録されているファイルの一覧が記述されたＨＴＭＬメールが返信されてくる。
【０２２７】
ファイル名を選択してクリックすると、選択されたファイルに対応するメールアドレスが宛先に入力された状態で新規メール作成画面が表示される。
【０２２８】
メールを送信すると、メールサービスサーバ４０は宛先に指定されたメールアドレスからファイルを特定し、当該のファイルを添付したメールを送信元のメールアドレスに返信する。
【０２２９】
ファイルの一覧が記述されたＨＴＭＬメールには次のようなメニューも記述されている。
【０２３０】
−  新規ファイルを登録
「新規ファイルを登録」がクリックされると、新規ファイル登録用のメールアドレスが宛先に入力された状態で新規メール作成画面が表示される。
【０２３１】
登録したいファイルを添付してメールを送信すると、メールサービスサーバ４０は宛先に指定されたメールアドレスから新規ファイルの登録が指示されたことを識別し、メールに添付されているファイルをメールサービスサーバ４０に保存する。
【０２３２】
そして、送信元のメールアドレスにファイル一覧を記述したＨＴＭＬメールを返信する。
【０２３３】
また、ファイルの一覧が記述されたＨＴＭＬメールには、各ファイルに対応して次のようなメニューも表示されている。
【０２３４】
−  このファイルを削除
「このファイルを削除」がクリックされると、選択されたファイルを削除することに対応するメールアドレスが宛先に入力された状態で新規メール作成画面が表示される。
【０２３５】
メールを送信すると、メールサービスサーバ４０は宛先に指定されたメールアドレスから特定のファイルの削除が指示されたことを識別し、メールサービスサーバ４０上に保存されている当該のファイルを削除する。そして、送信元のメールアドレスにファイル一覧を記述したＨＴＭＬメールを返信する。
【０２３６】
このファイル共有の動作は、アンケートと同様の動作で行われる。
【０２３７】
（４−１０）基礎体温記録
利用者が、所定のメールアドレスに、件名欄に自分の体温を入力してメールを送信すると、体温と計測日時がメールサービスサーバ４０に記録され、直近３０日の基礎体温表（折れ線グラフ）のイメージが記述されたＨＴＭＬメールが届く。
【０２３８】
ＨＴＭＬメールにはグラフの表示範囲を変更したり、予測グラフを表示するためのメニューも記述されている。
【０２３９】
−  直近９０日を表示
−  直近１８０日を表示
−  これから３ヶ月の予想グラフを表示
メニューを選択してクリックすると、メニューに対応するメールアドレスがアドレス欄に入力された状態で新規メール作成画面が表示される。メールを送信すると、メニューに対応するグラフのイメージが記述されたＨＴＭＬメールが届く。
【０２４０】
一度記録を始めると、毎日所定の時間まで記録が送信されない場合に、催促メールが届く。
【０２４１】
また、メールサービスサーバ４０は、基礎体温の変化から、妊娠しやすい時期、やせやすい時期など判定し、利用者にメールで知らせる。
【０２４２】
この基礎体温記録の動作は、催促メールの送信や、基礎体温の変化から、妊娠しやすい時期、やせやすい時期などの判定以外は、アンケートと同様の動作で行われる。
【０２４３】
（４−１１）将棋（二人用対戦型ゲーム）
利用者が、所定のメールアドレスに、本文欄に対局相手のメールアドレスを入力してメールを送信すると、将棋盤のイメージが記述されたＨＴＭＬメールが届く。
【０２４４】
将棋版とともに表示されている「指す」がクリックされると、この対局に対応するメールアドレスが宛先に入力された状態で、新規メール作成画面が表示される。
【０２４５】
件名欄には次のように動かす駒と駒の移動先を指定する。
【０２４６】
Ｓｕｂｊｅｃｔ：  ７七桂
メールを送信すると、利用者と対局者の双方に、駒が移動した後の状態の将棋版のイメージが記述されたＨＴＭＬメールが届く。
【０２４７】
先に指し始めたほうが先手となる。こうして交互に勝負が決まるまで指し合う。駒を動かすメールを送信する際、本文に入力したテキストは、将棋盤の下に表示される。
【０２４８】
この将棋（二人用対戦型ゲーム）の動作は、アンケートと同様の動作で行われる。
【０２４９】
（４−１２）ポーカー（複数人対戦型ゲーム）
利用者が、所定のメールアドレスに、本文欄に場に参加する複数人メンバーのメールアドレスを入力してメールを送信すると、各メンバーに配られた５枚のカードのイメージと手持ちのチップの枚数が記述されたＨＴＭＬメールが届く（メールアドレスの記述順がカードを配る順番になり、利用者は親になる）。
【０２５０】
カードには番号が振られている。カードとともに記述されている「カード交換」をクリックすると、カード交換用のメールアドレスが宛先に指定された状態で新規メール作成画面が表示される。
【０２５１】
件名欄には、次のように交換したいカードの番号を入力する。
【０２５２】
Ｓｕｂｊｅｃｔ：  １３４
勝負を降りるときは、件名欄を空欄にしてメールを送信する。
【０２５３】
メンバーの全員がカード交換用メールアドレスへのメール送信を完了すると、メンバーの全員にカードを交換した結果の５枚のカードのイメージが記述されたＨＴＭＬメールが届く。
【０２５４】
カードとともに記述されている「ベット」がクリックされると、ベット用のメールアドレスが宛先に指定された状態で新規メール作成画面が表示される。
【０２５５】
件名欄には、次のように、ベットするチップの枚数を入力する。
【０２５６】
Ｓｕｂｊｅｃｔ：  １５０
勝負を降りるときは、件名欄を空欄にしてメールを送信する。
【０２５７】
メンバーの全員がカード交換用メールアドレスへのメール送信を完了すると、メンバーの全員に全メンバーの手の一覧と、勝者、勝負の結果の各メンバーのチップの枚数が記述されたＨＴＭＬメールが届く。
【０２５８】
各ＨＴＭＬメールには、「全員にメッセージ」というメニューがある。
【０２５９】
これがクリックされると、いつでも参加メンバーに自由なメッセージでメールを送信することができる。
【０２６０】
利用者（＝親）に届く各メンバーの手を一覧するＨＴＭＬメールにのみ「次の勝負を始める」というメニューがある。
【０２６１】
これがクリックされると、同じ場、同じメンバーで次の勝負を始めることができる。このようにして勝負を繰り返していく間は、各メンバーのチップの状態が継続する。
【０２６２】
このポーカー（複数人対戦型ゲーム）の動作は、アンケートと同様の動作で行われる。
【０２６３】
以上のように、本実施の形態では、電波により電子メールを利用できる携帯電話などに向けて質問やクイズを送信し、それの回答を特定するメールアドレスのメールにより収集することにより、回答の正否を簡単に判別することができ、また、正答や得点などを回答を発信した携帯電話などに直ちに返信することが可能である。
【０２６４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０２６５】
本発明は、携帯電話などの情報通信機器に対してメールの送受信を行うメールサービスサーバおよびメールサービスシステムに関し、携帯電話などの情報通信機器に対して各種サービスを行うサーバやシステムに広く適用可能である。
【図面の簡単な説明】
【０２６６】
【図１】本発明の一実施の形態に係るメールサービスシステムの構成を示す構成図である。
【図２】本発明の一実施の形態に係るメールサービスシステムのメールサービスサーバの構成を示す構成図である。
【図３】本発明の一実施の形態に係るメールサービスシステムの動作の概要を説明するための説明図である。
【図４】本発明の一実施の形態に係るメールサービスシステムの一問一答型クイズの動作を示すフローチャートである。
【図５】本発明の一実施の形態に係るメールサービスシステムの一問一答型クイズの動作を示すフローチャートである。
【図６】本発明の一実施の形態に係るメールサービスシステムの一問一答型クイズの動作を示すフローチャートである。
【図７】本発明の一実施の形態に係るメールサービスシステムのｎ問テスト型クイズの動作を示すフローチャートである。
【図８】本発明の一実施の形態に係るメールサービスシステムのＹＥＳ／ＮＯチャートの動作を示すフローチャートである。
【図９】本発明の一実施の形態に係るメールサービスシステムのＹＥＳ／ＮＯチャートの動作を示すフローチャートである。
【図１０】本発明の一実施の形態に係るメールサービスシステムのアンケートの動作を示すフローチャートである。
【図１１】本発明の一実施の形態に係るメールサービスシステムのアンケートの動作を示すフローチャートである。
【図１２】本発明の一実施の形態に係るメールサービスシステムの一問一答型クイズの動作中の表示例である。
【図１３】本発明の一実施の形態に係るメールサービスシステムの一問一答型クイズの動作中の表示例である。
【図１４】本発明の一実施の形態に係るメールサービスシステムの一問一答型クイズの動作中の表示例である。
【図１５】本発明の一実施の形態に係るメールサービスシステムの一問一答型クイズの動作中の表示例である。
【図１６】本発明の一実施の形態に係るメールサービスシステムの一問一答型クイズの動作中の表示例である。
【図１７】本発明の一実施の形態に係るメールサービスシステムの一問一答型クイズの動作中の表示例である。
【図１８】本発明の一実施の形態に係るメールサービスシステムの一問一答型クイズの動作中の表示例である。
【図１９】本発明の一実施の形態に係るメールサービスシステムの一問一答型クイズの動作中の表示例である。
【図２０】本発明の一実施の形態に係るメールサービスシステムのｎ問テスト型クイズの動作中の表示例である。
【図２１】本発明の一実施の形態に係るメールサービスシステムのｎ問テスト型クイズの動作中の表示例である。
【図２２】本発明の一実施の形態に係るメールサービスシステムのＹＥＳ／ＮＯチャートの動作中の表示例である。
【図２３】本発明の一実施の形態に係るメールサービスシステムのＹＥＳ／ＮＯチャートの動作中の表示例である。
【図２４】本発明の一実施の形態に係るメールサービスシステムのＹＥＳ／ＮＯチャートの動作中の表示例である。
【図２５】本発明の一実施の形態に係るメールサービスシステムのＹＥＳ／ＮＯチャートの動作中の表示例である。
【図２６】本発明の一実施の形態に係るメールサービスシステムのＹＥＳ／ＮＯチャートの動作中の表示例である。
【図２７】本発明の一実施の形態に係るメールサービスシステムのＹＥＳ／ＮＯチャートの動作中の表示例である。
【図２８】本発明の一実施の形態に係るメールサービスシステムのＹＥＳ／ＮＯチャートの動作中の表示例である。
【図２９】本発明の一実施の形態に係るメールサービスシステムのＹＥＳ／ＮＯチャートの動作中の表示例である。
【図３０】本発明の一実施の形態に係るメールサービスシステムのＹＥＳ／ＮＯチャートの動作中の表示例である。
【図３１】本発明の一実施の形態に係るメールサービスシステムのＹＥＳ／ＮＯチャートの動作中の表示例である。
【図３２】本発明の一実施の形態に係るメールサービスシステムのＹＥＳ／ＮＯチャートの動作中の表示例である。
【図３３】本発明の一実施の形態に係るメールサービスシステムのＹＥＳ／ＮＯチャートの動作中の表示例である。
【図３４】本発明の一実施の形態に係るメールサービスシステムのＹＥＳ／ＮＯチャートの動作中の表示例である。
【図３５】本発明の一実施の形態に係るメールサービスシステムのアンケートの動作中の表示例である。
【図３６】本発明の一実施の形態に係るメールサービスシステムのアンケートの動作中の表示例である。
【図３７】本発明の一実施の形態に係るメールサービスシステムのアンケートの動作中の表示例である。
【図３８】本発明の一実施の形態に係るメールサービスシステムのアンケートの動作中の表示例である。
【図３９】本発明の一実施の形態に係るメールサービスシステムのアンケートの動作中の表示例である。
【図４０】本発明の一実施の形態に係るメールサービスシステムのアンケートの動作中の表示例である。
【図４１】本発明の一実施の形態に係るメールサービスシステムのアンケートの動作中の表示例である。
【図４２】本発明の一実施の形態に係るメールサービスシステムのアンケートの動作中の表示例である。
【図４３】本発明の一実施の形態に係るメールサービスシステムのアンケートの動作中の表示例である。
【図４４】本発明の一実施の形態に係るメールサービスシステムのアンケートの動作中の表示例である。
【図４５】本発明の一実施の形態に係るメールサービスシステムのアンケートの動作中の表示例である。
【符号の説明】
【０２６７】
１０…出題者側の携帯電話、１１…返答者側の携帯電話、２０、２１…電話会社、３０…ネットワーク、４０…メールサービスサーバ、１００…インターフェイス、１０１…設問入出力部、１０２…設問合成部、１０３…設問記憶部、１０４…設問抽出部、１０５…アドレス発生部、１０６…設問・アドレス合成部、１０７…設問送信部、１０８…一時記憶部、１０９…送信指示待ち部、１１０…送信制御部、１１１…受信部、１１２…アドレス照合部、１１３…返答判定部、１１４…判定結果作成部、１１５…判定結果送信部。
【図１】
2009116775.tif 000003
【図２】
2009116775.tif 000004
【図３】
2009116775.tif 000005
【図４】
2009116775.tif 000006
【図５】
2009116775.tif 000007
【図６】
2009116775.tif 000008
【図７】
2009116775.tif 000009
【図８】
2009116775.tif 000010
【図９】
2009116775.tif 000011
【図１０】
2009116775.tif 000012
【図１１】
2009116775.tif 000013
【図１２】
2009116775.tif 000014
【図１３】
2009116775.tif 000015
【図１４】
2009116775.tif 000016
【図１５】
2009116775.tif 000017
【図１６】
2009116775.tif 000018
【図１７】
2009116775.tif 000019
【図１８】
2009116775.tif 000020
【図１９】
2009116775.tif 000021
【図２０】
2009116775.tif 000022
【図２１】
2009116775.tif 000023
【図２２】
2009116775.tif 000024
【図２３】
2009116775.tif 000025
【図２４】
2009116775.tif 000026
【図２５】
2009116775.tif 000027
【図２６】
2009116775.tif 000028
【図２７】
2009116775.tif 000029
【図２８】
2009116775.tif 000030
【図２９】
2009116775.tif 000031
【図３０】
2009116775.tif 000032
【図３１】
2009116775.tif 000033
【図３２】
2009116775.tif 000034
【図３３】
2009116775.tif 000035
【図３４】
2009116775.tif 000036
【図３５】
2009116775.tif 000037
【図３６】
2009116775.tif 000038
【図３７】
2009116775.tif 000039
【図３８】
2009116775.tif 000040
【図３９】
2009116775.tif 000041
【図４０】
2009116775.tif 000042
【図４１】
2009116775.tif 000043
【図４２】
2009116775.tif 000044
【図４３】
2009116775.tif 000045
【図４４】
2009116775.tif 000046
【図４５】
2009116775.tif 000047